(57)【要約】  パケット転送装置を介して携帯端末に接続される第１の仮想クライアント部および第１の仮想クライアント部を介して携帯端末から受信したユーザデータを蓄積する第１の蓄積部を有する第１のシンクライアントサーバと、パケット転送装置を介して携帯端末に接続される第２の仮想クライアント部および第２の仮想クライアント部を介して携帯端末から受信したユーザデータを蓄積する第２の蓄積部を有する第２のシンクライアントサーバと、携帯端末の接続先が第１の仮想クライアント部から第２の仮想クライアント部に変更された場合に、携帯端末の位置情報に基づいて、第１の蓄積部から携帯端末のユーザデータを読み出して第２の蓄積部に書き込む管理サーバと、を備えている。携帯端末に対するシンクライアントシステムにおいて、携帯端末の場所が移動しても継続してサービスを提供できるようにする。
2012005230.tif 000002
【特許請求の範囲】
【請求項１】
モバイルネットワーク上のパケット転送装置を介して携帯端末に接続される第１の仮想クライアント部を有するとともに、該第１の仮想クライアント部を介して携帯端末から受信したユーザデータを蓄積する第１の蓄積部を有する第１のシンクライアントサーバと、
前記モバイルネットワーク上のパケット転送装置を介して携帯端末に接続される第２の仮想クライアント部を有するとともに、該第２の仮想クライアント部を介して携帯端末から受信したユーザデータを蓄積する第２の蓄積部を有する第２のシンクライアントサーバと、
携帯端末の接続先が前記第１の仮想クライアント部から前記第２の仮想クライアント部に変更された場合に、該携帯端末の位置情報に基づいて、前記第１の仮想クライアント部を介して前記第１の蓄積部から該携帯端末のユーザデータを読み出すとともに、読み出したユーザデータを前記第２の仮想クライアント部を介して前記第２の蓄積部に書き込む管理サーバと、を備えていることを特徴とするシンクライアントシステム。
【請求項２】
前記第１の蓄積部および前記第２の蓄積部は、それぞれ携帯端末から受信したユーザデータを該携帯端末の識別子と関連づけて蓄積し、
前記第１の仮想クライアント部および前記第２の仮想クライアント部は、それぞれ、前記識別子を参照することで各携帯端末に対応するユーザデータを識別することを特徴とする、請求項１に記載のシンクライアントシステム。
【請求項３】
前記管理サーバは、前記位置情報を前記パケット転送装置から取得することを特徴とする、請求項１または２に記載のシンクライアントシステム。
【請求項４】
前記第１の仮想クライアント部および前記第２の仮想クライアント部は、それぞれ、前記携帯端末からの指示情報をもとにアプリケーションを動作させて画面を生成し、生成した画面の全部または一部を圧縮エンコードし、エンコード結果を出力する画面エンコーダ部を備えていることを特徴とする、請求項１ないし３のいずれか１項に記載のシンクライアントシステム。
【請求項５】
前記第１の仮想クライアント部および前記第２の仮想クライアント部のいずれかと接続し、前記エンコード結果を受信するとともに、画面デコーダにより復号して画面を表示する携帯端末をさらに備えていることを特徴とする、請求項４に記載のシンクライアントシステム。
【請求項６】
前記第１のシンクライアントサーバは、モバイルネットワーク上のパケット転送装置を介してそれぞれが携帯端末に接続される複数の仮想クライアント部を有するとともに、該複数の仮想クライアント部を介して該複数の仮想クライアント部のユーザデータを蓄積する蓄積部を有し、該携帯端末からの指示情報をもとにアプリケーションを動作させ画面を生成し前記画面の全部または一部を圧縮エンコードしてエンコード結果を出力する画面エンコーダ部を有し、
前記管理サーバは、前記第１のシンクライアントサーバに接続していた携帯端末が移動後に第Ｍ（Ｍは２以上）のシンクライアントサーバに接続した場合に該携帯端末の位置情報を前記パケット転送装置から取得し、該位置情報にもとづいて前記第１のシンクライアントサーバの蓄積部から該当する携帯端末のユーザデータを読み出して前記第Ｍのシンクライアントサーバの蓄積部に書き込ことを特徴とする、請求項１ないし５のいずれか１項に記載のシンクライアントシステム。
【請求項７】
前記携帯端末は、前記第１のシンクライアントサーバにおける仮想クライアント部または前記第Ｍのシンクライアントサーバにおける仮想クライアント部と接続して前記エンコード結果を受信し、画面デコーダにより復号した上で画面を表示することを特徴とする、請求項６に記載のシンクライアントシステム。
【請求項８】
前記モバイルネットワークは、モバイルパケットネットワークまたはモバイルＬＴＥ／ＥＰＣネットワークであることを特徴とする、請求項１ないし６のいずれか１項に記載のシンクライアントシステム。
【請求項９】
パケット転送装置を介して携帯端末に接続される第１の仮想クライアント部を有するとともに、該第１の仮想クライアント部を介して携帯端末から受信したユーザデータを蓄積する第１の蓄積部を有する第１のシンクライアントサーバの該第１の仮想クライアント部から、パケット転送装置を介して携帯端末に接続される第２の仮想クライアント部を有するとともに、該第２の仮想クライアント部を介して携帯端末から受信したユーザデータを蓄積する第２の蓄積部を有する第２のシンクライアントサーバの仮想クライアント部へと、携帯端末の接続先が変更された場合に、該携帯端末の位置情報に基づいて、該第１の仮想クライアント部を介して該第１の蓄積部から該携帯端末のユーザデータを読み出すとともに、読み出したユーザデータを該第２の仮想クライアント部を介して該第２の蓄積部に書き込むことを特徴とする管理サーバ。
【請求項１０】
前記位置情報を前記パケット転送装置から取得することを特徴とする、請求項９に記載の管理サーバ。
【請求項１１】
パケット転送装置を介して携帯端末に接続される第１の仮想クライアント部を有するとともに、該第１の仮想クライアント部を介して携帯端末から受信したユーザデータを蓄積する第１の蓄積部を有する第１のシンクライアントサーバの該第１の仮想クライアント部から、パケット転送装置を介して携帯端末に接続される第２の仮想クライアント部を有するとともに、該第２の仮想クライアント部を介して携帯端末から受信したユーザデータを蓄積する第２の蓄積部を有する第２のシンクライアントサーバの該第２の仮想クライアント部へと、携帯端末の接続先が変更された場合に、コンピュータが、該携帯端末の位置情報に基づいて、該第１の仮想クライアント部を介して該第１の蓄積部から該携帯端末のユーザデータを読み出す工程と、
読み出したユーザデータを前記第２の仮想クライアント部を介して前記第２の蓄積部に書き込む工程と、含むことを特徴とする管理方法。
【請求項１２】
コンピュータが、前記位置情報を前記パケット転送装置から取得する工程をさらに含むことを特徴とする、請求項１１に記載の管理方法。
【請求項１３】
パケット転送装置を介して携帯端末に接続される第１の仮想クライアント部を有するとともに、該第１の仮想クライアント部を介して携帯端末から受信したユーザデータを蓄積する第１の蓄積部を有する第１のシンクライアントサーバの該第１の仮想クライアント部から、パケット転送装置を介して携帯端末に接続される第２の仮想クライアント部を有するとともに、該第２の仮想クライアント部を介して携帯端末から受信したユーザデータを蓄積する第２の蓄積部を有する第２のシンクライアントサーバの該第２の仮想クライアント部へと、携帯端末の接続先が変更された場合に、該携帯端末の位置情報に基づいて、該第１の仮想クライアント部を介して該第１の蓄積部から該携帯端末のユーザデータを読み出す処理と、
読み出したユーザデータを前記第２の仮想クライアント部を介して前記第２の蓄積部に書き込む処理と、をコンピュータに実行させることを特徴とするプログラム。
【請求項１４】
前記位置情報を前記パケット転送装置から取得する処理を、さらにコンピュータに実行させることを特徴とする、請求項１３に記載のプログラム。
【発明の詳細な説明】
【技術分野】
【０００１】
［関連出願についての記載］
本発明は、日本国特許出願：特願２０１０−１５３７８２号（２０１０年  ７月  ６日出願）の優先権主張に基づくものであり、同出願の全記載内容は引用をもって本書に組み込み記載されているものとする。
本発明は、シンクライアントシステム、管理サーバ、管理方法およびプログラムに関し、特に、携帯端末とモバイルネットワーク上のシンクライアントサーバの仮想クライアントとがパケット転送装置を介して通信するリモート型のシンクライアントシステム、管理サーバ、管理方法およびプログラムに関する。
【背景技術】
【０００２】
ＬＴＥ（Ｌｏｎｇ  Ｔｅｒｍ  Ｅｖｏｌｕｔｉｏｎ）やＥＰＣ（Ｅｖｏｌｖｅｄ  Ｐａｃｋｅｔ  Ｃｏｒｅ）技術などの導入によるモバイルネットワークの高速・大容量化の進展により、ネットワークの高速・大容量性を活用した新しいサービスが提供されると考えられる。新しいサービスとして、例えば、３Ｄ高精細ゲーム、大規模データベース検索、画像認識／照合、高精細映像（静止画、動画など）、高品質オーディオ、３Ｄオーディオなどのサービスが挙げられる。【０００３】
一方、情報漏洩を防ぐとともに、ＴＣＯ（Ｔｏｔａｌ  Ｃｏｓｔ  ｏｆ  Ｏｗｎｅｒｓｈｉｐ）を削減する目的で、シンクライアントシステムに対する注目が高まってきている。シンクライアントシステムとは、シンクライアント端末とシンクライアントサーバとを備え、アプリケーションソフトや重要なデータはシンクライアントサーバに蓄積し、シンクライアント端末には、アプリケーションソフトや重要なデータを蓄積せず、シンクライアント端末は、シンクライアントサーバにアクセスすることで、アプリケーションソフトを実行するシステムをいう。【０００４】
シンクライアントシステムの一例として、仮想クライアント型シンクライアントシステムが知られている。仮想クライアント型シンクライアントシステムとは、各ユーザがシンクライアントサーバ上に自分だけの仮想クライアントを有し、その上でＯＳやアプリケーションソフトを動作させて、その画面を自身のシンクライアント端末のモニターに表示する方式をいう。非特許文献１には、仮想クライアント型シンクライアントシステムをＰＣ向けに実現した、仮想ＰＣ型シンクライアントシステムが記載されている。【０００５】
なお、無線通信環境において、ハンドセット（ないし移動装置）が一のネットワークから他のネットワークへ移動したときに、音声通信のハンドオフを促進するトリガー信号を用いることで、アプリケーションを中断なしにハンドオフすることができるシステムが、特許文献１に記載されている。
【先行技術文献】
【特許文献】
【０００６】
【特許文献１】特開２００８−０３５５２０号公報
【非特許文献】
【０００７】
【非特許文献１】「仮想ＰＣ型シンクライアントシステムＶｉｒｔｕａｌＰＣＣｅｎｔｅｒ」、［ｏｎｌｉｎｅ］、［平成２２年６月２４日検索］、インターネット〈ＵＲＬ：ｈｔｔｐ：／／ｗｗｗ．ｎｅｃ．ｃｏ．ｊｐ／ｃｌｓｏｌ／ｄｏｃ／ｖｐｃｃ＿３＿２．ｐｄｆ〉
【発明の概要】
【発明が解決しようとする課題】
【０００８】
上記の各文献の各開示を、本書に引用をもって繰り込むものとする。以下の分析は、本発明者によってなされたものである。【０００９】
シンクライアントシステムに基づいて、携帯端末に対するサービスを提供する場合には、携帯端末が移動してもサービスを継続して提供することができるように、携帯端末の移動をモバイルネットワーク上に設置した装置が吸収、隠蔽し、サービスを享受するユーザには移動による問題が生じないようにする必要がある。【００１０】
また、これまでのサービスでは、オペレータ（通信事業者）が新規サービスを導入する際、端末のハードウェアの制約により、既存の携帯端末では対応することができない場合が多い。かかる場合には、新規サービスが開始されるのにあわせて、性能が向上した携帯端末を新規に購入しなければならないという問題がある。【００１１】
さらに、コーデック技術の進歩により、画像やオーディオを含むデータに対する新規の圧縮符号化方式が導入された場合には、新規の方式に対応したデコーダを搭載した携帯端末でないと、エンコードされたデータをデコードできないという問題がある。【００１２】
そこで、携帯端末に対するシンクライアントシステムにおいて、携帯端末の場所が移動しても継続してサービスを提供できるようにすることが課題となる。本発明の目的は、かかる課題を解決するシンクライアントシステム、管理サーバ、管理方法およびプログラムを提供することにある。
【課題を解決するための手段】
【００１３】
本発明の第１の視点に係るシンクライアントシステムは、
パケット転送装置を介して携帯端末に接続される第１の仮想クライアント部を有するとともに、第１の仮想クライアント部を介して携帯端末から受信したユーザデータを蓄積する第１の蓄積部を有する第１のシンクライアントサーバと、
パケット転送装置を介して携帯端末に接続される第２の仮想クライアント部を有するとともに、第２の仮想クライアント部を介して携帯端末から受信したユーザデータを蓄積する第２の蓄積部を有する第２のシンクライアントサーバと、
携帯端末の接続先が第１の仮想クライアント部から第２の仮想クライアント部に変更された場合に、携帯端末の位置情報に基づいて、第１の仮想クライアント部を介して第１の蓄積部から携帯端末のユーザデータを読み出すとともに、読み出したユーザデータを第２の仮想クライアント部を介して第２の蓄積部に書き込む管理サーバと、を備えている。【００１４】
本発明の第２の視点に係るシンクライアントシステムは、
モバイルネットワーク上のパケット転送装置を介してそれぞれが携帯端末に接続される複数の仮想クライアント部を有するとともに、該複数の仮想クライアント部を介して該複数の仮想クライアント部のユーザデータを蓄積する蓄積部を有し、該携帯端末からの指示情報をもとにアプリケーションを動作させ画面を生成し前記画面の全部または一部を圧縮エンコードしてエンコード結果を出力する画面エンコーダ部を有する第１のシンクライアントサーバと、
第１のシンクライアントサーバに接続していた携帯端末が移動後に第Ｍ（Ｍは２以上）のシンクライアントサーバに接続した場合に携帯端末の位置情報をパケット転送装置から取得し、位置情報にもとづいて第１のシンクライアントサーバの蓄積部から該当する携帯端末のユーザデータを読み出して第Ｍのシンクライアントサーバの蓄積部に書き込む管理サーバと、
第１のシンクライアントサーバにおける仮想クライアント部または第Ｍのシンクライアントサーバにおける仮想クライアント部と接続して前記エンコード結果を受信し、画面デコーダにより復号した上で画面を表示する携帯端末と、を備えている。【００１５】
本発明の第３の視点に係る管理サーバは、
パケット転送装置を介して携帯端末に接続される第１の仮想クライアント部を有するとともに、第１の仮想クライアント部を介して携帯端末から受信したユーザデータを蓄積する第１の蓄積部を有する第１のシンクライアントサーバの第１の仮想クライアント部から、パケット転送装置を介して携帯端末に接続される第２の仮想クライアント部を有するとともに、第２の仮想クライアント部を介して携帯端末から受信したユーザデータを蓄積する第２の蓄積部を有する第２のシンクライアントサーバの仮想クライアント部へと、携帯端末の接続先が変更された場合に、携帯端末の位置情報に基づいて、第１の仮想クライアント部を介して第１の蓄積部から携帯端末のユーザデータを読み出すとともに、読み出したユーザデータを第２の仮想クライアント部を介して第２の蓄積部に書き込む。【００１６】
本発明の第４の視点に係る管理方法は、
パケット転送装置を介して携帯端末に接続される第１の仮想クライアント部を有するとともに、第１の仮想クライアント部を介して携帯端末から受信したユーザデータを蓄積する第１の蓄積部を有する第１のシンクライアントサーバの第１の仮想クライアント部から、パケット転送装置を介して携帯端末に接続される第２の仮想クライアント部を有するとともに、第２の仮想クライアント部を介して携帯端末から受信したユーザデータを蓄積する第２の蓄積部を有する第２のシンクライアントサーバの第２の仮想クライアント部へと、携帯端末の接続先が変更された場合に、コンピュータが、携帯端末の位置情報に基づいて、第１の仮想クライアント部を介して第１の蓄積部から携帯端末のユーザデータを読み出す工程と、
読み出したユーザデータを第２の仮想クライアント部を介して第２の蓄積部に書き込む工程と、含む。【００１７】
本発明の第５の視点に係るプログラムは、
パケット転送装置を介して携帯端末に接続される第１の仮想クライアント部を有するとともに、第１の仮想クライアント部を介して携帯端末から受信したユーザデータを蓄積する第１の蓄積部を有する第１のシンクライアントサーバの第１の仮想クライアント部から、パケット転送装置を介して携帯端末に接続される第２の仮想クライアント部を有するとともに、第２の仮想クライアント部を介して携帯端末から受信したユーザデータを蓄積する第２の蓄積部を有する第２のシンクライアントサーバの第２の仮想クライアント部へと、携帯端末の接続先が変更された場合に、携帯端末の位置情報に基づいて、第１の仮想クライアント部を介して第１の蓄積部から携帯端末のユーザデータを読み出す処理と、
読み出したユーザデータを第２の仮想クライアント部を介して第２の蓄積部に書き込む処理と、をコンピュータに実行させる。
【発明の効果】
【００１８】
本発明に係るシンクライアントシステム、管理サーバ、管理方法およびプログラムによると、携帯端末に対するシンクライアントシステムにおいて、携帯端末の場所が移動しても継続してサービスを提供することができる。
【図面の簡単な説明】
【００１９】
【図１】第１の実施形態に係るシンクライアントシステムの構成を示す図である。
【図２】第２の実施形態に係るシンクライアントシステムの構成を示す図である。
【図３】第２の実施形態に係るシンクライアントシステムにおける第１のシンクライアントサーバの構成を示すブロック図である。
【図４】第２の実施形態に係るシンクライアントシステムにおける第Ｍのシンクライアントサーバの構成を示すブロック図である。
【図５】第２の実施形態に係るシンクライアントシステムにおけるシンクライアントサーバの仮想クライアント部の構成を示すブロック図である。
【発明を実施するための形態】
【００２０】
第１の展開形態によると、上記第１の視点に係るシンクライアントシステムが提供される。
【００２１】
第２の展開形態によると、
第１の蓄積部および第２の蓄積部は、それぞれ携帯端末から受信したユーザデータを携帯端末の識別子と関連づけて蓄積し、
第１の仮想クライアント部および第２の仮想クライアント部は、それぞれ、識別子を参照することで各携帯端末に対応するユーザデータを識別する、シンクライアントシステムが提供される。
【００２２】
第３の展開形態によると、管理サーバは、位置情報をパケット転送装置から取得する、シンクライアントシステムが提供される。
【００２３】
第４の展開形態によると、第１の仮想クライアント部および第２の仮想クライアント部は、それぞれ、携帯端末からの指示情報をもとにアプリケーションを動作させて画面を生成し、生成した画面の全部または一部を圧縮エンコードし、エンコード結果を出力する画面エンコーダ部を備えている、シンクライアントシステムが提供される。
【００２４】
第５の展開形態によると、第１の仮想クライアント部および第２の仮想クライアント部のいずれかと接続し、エンコード結果を受信するとともに、画面デコーダにより復号して画面を表示する携帯端末をさらに備えている、シンクライアントシステムが提供される。
【００２５】
第６の展開形態によると、上記第２の視点に係るシンクライアントシステムが提供される。
【００２６】
第７の展開形態によると、モバイルネットワークは、モバイルパケットネットワークまたはモバイルＬＴＥ／ＥＰＣネットワークである、シンクライアントシステムが提供される。
【００２７】
第８の展開形態によると、上記第３の視点に係る管理サーバが提供される。
【００２８】
第９の展開形態によると、上記第４の視点に係る管理方法が提供される。
【００２９】
第１０の展開形態によると、上記第５の視点に係るプログラムが提供される。
【００３０】
本発明に係るシンクライアントシステム、管理サーバ、管理方法およびプログラムによると、携帯端末の場所が移動し、携帯端末の接続先のシンクライアントサーバが変更された場合に、管理サーバは、携帯端末の位置情報を参照し、変更前に接続していたシンクライアントサーバからユーザデータを読み出して、変更後に接続したシンクライアントサーバに書き込むことができる。したがって、本発明に係るシンクライアントシステム、管理サーバ、管理方法およびプログラムによると、携帯端末に対するシンクライアントシステムにおいて、携帯端末の場所が移動しても継続してサービスを提供することができる。
【００３１】
以下、好適な実施の形態を、図面を参照して詳述する。ただし、参照符号による図面への参照は、専ら理解を助けるためのものであり、本開示を図示の態様に限定することを意図するものではない。
（実施形態１）
第１の実施形態に係るシンクライアントシステムについて、図１を参照して詳細に説明する。
【００３２】
図１を参照すると、シンクライアントシステムは、モバイルネットワーク上に、複数のシンクライアントサーバ１０＿１〜１０＿Ｍと、管理サーバ３０とを備えている。
【００３３】
シンクライアントサーバ１０＿１〜１０＿Ｍは、それぞれ、パケット転送装置を介して携帯端末から受信したユーザデータを蓄積する。
【００３４】
管理サーバ３０は、携帯端末の接続先が第１のシンクライアントサーバ（例えばシンクライアントサーバ１０＿１）から第２のシンクライアントサーバ（例えばシンクライアントサーバ１０＿Ｍ）に変更された場合に、該携帯端末の位置情報に基づいて、第１のシンクライアントサーバから該携帯端末のユーザデータを読み出すとともに、読み出したユーザデータを第２のシンクライアントサーバに書き込む。
【００３５】
また、シンクライアントサーバ１０＿１〜１０＿Ｍは、それぞれ、パケット転送装置を介して携帯端末に接続される仮想クライアント部を有するとともに、仮想クライアント部を介して携帯端末から受信したユーザデータを蓄積する蓄積部を有していることが好ましい。
【００３６】
このとき、管理サーバ３０は、携帯端末の接続先が第１の仮想クライアント部（例えばシンクライアントサーバ１０＿１の仮想クライアント部）から第２の仮想クライアント部（例えばシンクライアントサーバ１０＿Ｍの仮想クライアント部）に変更された場合に、該携帯端末の位置情報に基づいて、第１の仮想クライアント部を介して第１の蓄積部（例えばシンクライアントサーバ１０＿１の蓄積部）から該携帯端末のユーザデータを読み出すとともに、読み出したユーザデータを第２の仮想クライアント部を介して第２の蓄積部（例えばシンクライアントサーバ１０＿Ｍの蓄積部）に書き込むようにしてもよい。
【００３７】
また、シンクライアントサーバ１０＿１〜１０＿Ｍのそれぞれに設けられた蓄積部は、携帯端末から受信したユーザデータを該携帯端末の識別子と関連づけて蓄積することが好ましい。
【００３８】
このとき、第１の仮想クライアント部および第２の仮想クライアント部は、それぞれ、識別子を参照することで各携帯端末に対応するユーザデータを識別することが好ましい。
【００３９】
また、管理サーバ３０は、携帯端末の位置情報をパケット転送装置から取得するようにしてもよい。
【００４０】
本実施形態に係るシンクライアントシステムによると、携帯端末の場所が移動し、携帯端末の接続先のシンクライアントサーバが変更された場合に、管理サーバ３０は、携帯端末の位置情報を参照し、変更前に接続していたシンクライアントサーバからユーザデータを読み出して、変更後に接続したシンクライアントサーバに書き込むことができる。
【００４１】
したがって、本実施形態に係るシンクライアントシステムによると、携帯端末に対するシンクライアントシステムにおいて、携帯端末の場所が移動しても継続してサービスを提供することができる。
【００４２】
（実施形態２）
第２の実施形態に係るシンクライアントシステムについて、図２〜図５を参照して詳細に説明する。
【００４３】
図２は、本実施形態に係るシンクライアントシステムの接続構成を示す。図２は、モバイルネットワークとしてモバイルパケットネットワーク１５０を用い、パケット転送装置としてｘＧＳＮ装置を用いる場合の構成を示す。
【００４４】
ここで、ｘＧＳＮ装置とは、ＳＧＳＮ（Ｓｅｒｖｉｎｇ  ＧＰＲＳ  Ｓｕｐｐｏｒｔ  Ｎｏｄｅ）装置とＧＧＳＮ（Ｇａｔｅｗａｙ  ＧＰＲＳ  Ｓｕｐｐｏｒｔ  Ｎｏｄｅ）装置を同一箇所に設けた装置をいう。
【００４５】
図２では、サービスの一例として、携帯端末１７０＿１は、モバイルパケットネットワーク１５０上に配置された第１のシンクライアントサーバ１１０＿１の第１の仮想クライアント部に接続し、これを操作し、例えば、携帯端末からカメラなどで撮影した画像（静止画または動画）をユーザデータとしてシンクライアントサーバの蓄積部に蓄積するとともに、蓄積部にユーザデータとして蓄積した画像を読み出して閲覧するサービスを実行する。
【００４６】
図２において、携帯端末１７０＿１は、基地局１９３＿１、ＲＮＣ（Ｒａｄｉｏ  Ｎｅｔｗｏｒｋ  Ｃｏｎｔｒｏｌｌｅｒ）装置１９５＿１、ｘＧＳＮ装置１９０＿１を経由して、第１のシンクライアントサーバ１１０＿１に対して接続信号を送出する。
【００４７】
ここで、接続信号とは、携帯端末１７０＿１におけるキー操作などにより、携帯端末１７０＿１から送出される信号をいう。接続信号のプロトコルとして、公知のプロトコルを採用することができる。ここでは、一例として、ＴＣＰ／ＩＰおよびその上位層としてＨＴＴＰを用いるものとする。なお、ＨＴＴＰ以外に、ＳＩＰ（Ｓｅｓｓｉｏｎ  Ｉｎｉｔｉａｔｉｏｎ  Ｐｒｏｔｏｃｏｌ）を用いることもできる。
【００４８】
携帯端末１７０＿１から送出された接続信号は、モバイルパケットネットワーク１５０上にある、基地局１９３＿１、ＲＮＣ装置１９５＿１、ｘＧＳＮ装置１９０＿１、第１のシンクライアントサーバ１１０＿１の順に到達する。このようにして、シンクライアントサーバ１１０＿１は、携帯端末１７０＿１から送出された接続信号を受信する。
【００４９】
図３は、第１のシンクライアントサーバ１１０＿１の構成を示すブロック図である。第１のシンクライアントサーバ１１０＿１は、複数台の携帯端末の各々に対して仮想クライアント機能を提供する。このために、第１のシンクライアントサーバ１１０＿１は、仮想クライアント部をＮ個有している。ここで、Ｎ≧２である。
【００５０】
以下では、第１の携帯端末１７０＿１が第１の仮想クライアント部２１１＿１に接続する場合について説明する。なお、他の携帯端末の接続動作は第１の携帯端末の場合と同一であるため、説明を省略する。
【００５１】
図３において、例えば、第１の仮想クライアント部２１１＿１は、ｘＧＳＮ装置１９０＿１との間で、第１の携帯端末１７０＿１からの接続信号などの制御信号（図３の破線）をやりとりするとともに、携帯端末へ画面圧縮符号やオーディオ圧縮符号などのデータ信号（図３の実線）を出力する。なお、第２の仮想クライアント部２１１＿２から第Ｎの仮想クライアント部２１１＿Ｎの構成は第１の仮想クライアント部２１１＿１と同一であるため、これらに対する説明を省略する。
【００５２】
第１の仮想クライアント部２１１＿１は、現在接続されている携帯端末からユーザ情報や、ユーザデータなどをｘＧＳＮ装置を介して取得し、これらを携帯端末毎のＩＤ番号毎に蓄積部２２０に書き込む。ここで、ユーザ情報は、例えば、携帯端末１７０＿１の画面解像度などである。また、ユーザデータは、例えば、携帯端末１７０＿１のカメラで撮影した画像（静止画、動画など）である。
【００５３】
蓄積部２２０は、携帯端末１７０＿１のＩＤ番号毎にユーザ情報やユーザデータなどを蓄積する。ここで、他の仮想クライアント部も、蓄積部２２０に蓄積されたユーザ情報やユーザデータを読み出すことができる。したがって、仮想クライアント部２１１＿１〜２１１＿Ｎは、現在接続された携帯端末について、ＩＤ番号をもとに当該ＩＤ番号に関するユーザ情報やユーザデータなどを、蓄積部２２０から共通に読み出すことができる。
【００５４】
図２に戻ると、携帯端末１７０＿１は、場所を移動し、図２の携帯端末１７０＿Ｎの位置まで移動したとする。すると、これまでと場所が異なるため、携帯端末１７０＿１は、携帯端末１７０＿Ｎとして振舞うことになる。
【００５５】
携帯端末１７０＿Ｎから送出された接続信号は、基地局１９４＿１、ＲＮＣ装置１９６＿１、ｘＧＳＮ装置１９２＿１、第Ｍのシンクライアントサーバ１１０＿Ｍの順に到達する。このようにして、第Ｍのシンクライアントサーバ１１０＿Ｍは、携帯端末１７０＿Ｎから送出された接続信号を受信する。
【００５６】
図４は、第Ｍのシンクライアントサーバ１１０＿Ｍの構成を示す。ここで、図３と同一の符号が付された図４の構成要素の動作は、同一の符号が付された図３の構成要素の動作と同一であるため、説明を省略する。
【００５７】
図２に戻って、管理サーバ２３０は、第１のシンクライアントサーバ１１０＿１から第Ｍのシンクライアントサーバ１１０＿ＭまでのＭ台のシンクライアントサーバと接続されている。管理サーバ２３０は、各シンクライアントサーバの蓄積部に蓄積された、携帯端末のＩＤ番号、ユーザ情報やユーザデータなどの、シンクライアントサーバ間における読み出しおよび書き込みを制御する。
【００５８】
一例として、図２のように、携帯端末が第１のシンクライアントサーバ１１０＿１と接続していた状態から、場所を移動し、第Ｍのシンクライアントサーバ１１０＿Ｍに接続した状態に変化した場合を考える。
【００５９】
このとき、管理サーバ２３０は、これまで接続されていた第１のシンクライアントサーバ１１０＿１の第１の仮想クライアント部２１１＿１を介して第１のシンクライアントサーバ１１０＿１の蓄積装置２２０に蓄積された該当ＩＤ番号のユーザ情報やユーザデータなどを一旦読み出し、これらを第Ｍのシンクライアントサーバ１１０＿Ｍに対して出力し、第Ｍのシンクライアントサーバ１１０＿Ｍにある第１の仮想クライアント部を介して蓄積部にＩＤ番号とともにユーザ情報やユーザデータなどを書き込む。
【００６０】
そして、第Ｍのシンクライアントサーバ１１０＿Ｍにある第１の仮想クライアント部２１１＿１は、蓄積部２２０から該当ＩＤ番号のユーザ情報ならびにユーザデータを読み出し、例えば、ユーザ情報にもとづき画面解像度の設定を行うとともに、ユーザデータを読み出して携帯端末に送出する。
【００６１】
図５は、第１の仮想クライアント部２１１＿１の構成を示すブロック図である。第１のシンクライアントサーバ１１０＿１の仮想クライアント部２１１＿１も、第Ｍのシンクライアントサーバ１１０＿Ｍの仮想クライアント部２１１＿１も、同一の構成である。そこで、第Ｍのシンクライアントサーバ１１０＿Ｍにおける第１の仮想クライアント部２１１＿１の説明を行う。
【００６２】
図５において、制御信号送受信部１７３は、ｘＧＳＮ装置１９０＿１を介して携帯端末１７０＿Ｎからの制御信号を受信する。ここでは、携帯端末が移動する前に、携帯端末のユーザがカメラなどで撮影した画像を第１のシンクライアントサーバ１１０＿１の蓄積部２２０にユーザデータとして蓄積したものとする。また、携帯端末が移動したことにより、管理サーバ２３０は、第１のシンクライアントサーバ１１０＿１が保有する蓄積部２２０からユーザデータを読み出し、第Ｍのシンクライアントサーバ１１０＿Ｍが保有する蓄積部に書き込んだものとする。
【００６３】
図５において、制御信号送受信部１７３は、携帯端末１７０＿Ｎから、シンクライアントサーバにユーザデータとして蓄積した画像を閲覧するという接続信号を受信すると、接続信号に格納されたＩＤ番号、ユーザデータの閲覧指示や画像などのユーザデータの種類などの情報を読み取り、蓄積部２２０から前記ユーザデータを読み出す。
【００６４】
制御信号送受信部１７３は、蓄積部からユーザ情報ならびに前記画像などのユーザデータを読み出し、アプリケーションを動作させて画像を復号した上で画面情報を生成し、ユーザ情報と画面情報を画面キャプチャ部１８０に出力する。
【００６５】
画面キャプチャ部１８０は、上記のユーザ情報を入力し画面解像度を設定し、設定した解像度で画面の全部または一部をキャプチャし画面エンコーダ部１８６に出力する。画面解像度として、一例として、ＱＶＧＡ（Ｑｕａｒｔｅｒ  Ｖｉｄｅｏ  Ｇｒａｐｈｉｃｓ  Ａｒｒａｙ）を用いることができる。
【００６６】
画面エンコーダ部１８６は、上記のユーザ情報と画面キャプチャ部１８０からの出力画像データとを入力し、あらかじめ定められた圧縮符号化方式により圧縮符号化し、圧縮符号をパケット送信部１７６に出力する。
【００６７】
オーディオデコーダ部１７４は、上記のユーザデータにオーディオデータが含まれるか否かを判別し、オーディオデータが含まれる場合には、上記のオーディオデータを一旦復号し、復号したオーディオ信号をオーディオエンコーダ部１７５に出力する。オーディオエンコーダ部１７５は、オーディオデコーダ部１７４からの出力信号に対し、あらかじめ定められた圧縮符号化方式により圧縮符号化し、圧縮符号をパケット送信部１７６に出力する。
【００６８】
パケット送信部１７６は、画面エンコーダ部１８６およびオーディオエンコーダ部１７５の出力である圧縮符号を入力し、各々に対しパケットを構築し、パケットのペイロード部に格納した上でｘＧＳＮ装置に対してパケットを送出する。
【００６９】
なお、図２のモバイルパケットネットワーク１５０の代わりに、より高速なモバイルＬＴＥ／ＥＰＣネットワークを用いることもできる。この場合には、図２において、ＲＮＣ装置の代わりにｅ−ｎｏｄｅＢ装置を用い、ｘＧＳＮ装置の代わりにＳ／Ｐ−ＧＷ装置を用いる。
【００７０】
Ｓ／Ｐ−ＧＷ装置は、第１のシンクライアントサーバ１１０＿１からＴＣＰ／ＩＰまたはＵＤＰ／ＩＰプロトコルによるパケットや、それらのプロトコルの上を転送されるファイルを受信し、ＧＴＰ−Ｕ（ＧＰＲＳ  Ｔｕｎｎｅｌｉｎｇ  Ｐｒｏｔｏｃｏｌ−Ｕｓｅｒ  Ｐｌａｎｅ）／ＴＣＰ／ＩＰ、または、ＧＴＰ−Ｕ／ＵＤＰ／ＩＰプロトコルに変換した上で、圧縮符号化ビットストリームまたはファイルを、ｅ−ｎｏｄｅＢ装置に出力する。ｅ−ｎｏｄｅＢ装置は、ＰＤＣＰ／ＲＬＣプロトコルに変換し、携帯端末に対し、パケットならびにファイルを送出する。
【００７１】
上述した実施形態に対するさまざまな変形を施すことができる。例えば、ｘＧＳＮ装置１９０＿１は、ＳＧＳＮ装置とＧＧＳＮ装置とに分けて配置してもよい。
【００７２】
また、上記の実施形態において、携帯端末からの指示信号としては、ＳＩＰやＳＤＰ（Ｓｅｓｓｉｏｎ  Ｄｅｓｃｒｉｐｔｉｏｎ  Ｐｒｏｔｏｃｏｌ）などを用いることもできる。
【００７３】
さらに、上記の実施形態において、シンクライアントシステムは、仮想クライアント型シンクライアントシステム（非特許文献１）に限定されない。
【００７４】
本実施形態によれば、携帯端末が移動しても、モバイルネットワーク上の管理サーバ２３０により、ユーザ情報やユーザデータなどを、移動前に接続していたシンクライアントサーバから読み出して移動先で接続したシンクライアントサーバに書き込むことができる。したがって、携帯端末の移動にかかわらず、移動をエンドユーザから隠蔽して、サービスを継続して提供することができる。
【００７５】
また、本実施形態によれば、オペレータが新規サービスを導入する場合に、ネットワーク上に設置したシンクライアントサーバのアプリケーションソフトを更新することで新規サービスの導入が可能となる。したがって、新規サービスのたびに携帯端末を新規に調達したり、改造したりする必要が無くなる。
【００７６】
さらに、本実施形態によれば、画像データやオーディオデータに対しても、コーデック技術の進歩によりこれらのデータの圧縮符号化に新規の圧縮符号化方式が導入されても、サーバ側で隠蔽し、端末とのＩＦ（インタフェース）を変更しなくてもよい。したがって、これまでの端末を改造することなく、そのまま使用することができる。
【００７７】
本発明の全開示（請求の範囲を含む）の枠内において、さらにその基本的技術思想に基づいて、実施形態の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【００７８】
なお、上記実施形態の一部または全部は、以下の付記として記載することができるものであるが、これらに限定されるものではない。
【００７９】
（付記１）パケット転送装置を介して携帯端末に接続される第１の仮想クライアント部を有するとともに、該第１の仮想クライアント部を介して携帯端末から受信したユーザデータを蓄積する第１の蓄積部を有する第１のシンクライアントサーバと、
パケット転送装置を介して携帯端末に接続される第２の仮想クライアント部を有するとともに、該第２の仮想クライアント部を介して携帯端末から受信したユーザデータを蓄積する第２の蓄積部を有する第２のシンクライアントサーバと、
携帯端末の接続先が前記第１の仮想クライアント部から前記第２の仮想クライアント部に変更された場合に、該携帯端末の位置情報に基づいて、前記第１の仮想クライアント部を介して前記第１の蓄積部から該携帯端末のユーザデータを読み出すとともに、読み出したユーザデータを前記第２の仮想クライアント部を介して前記第２の蓄積部に書き込む管理サーバと、を備えていることを特徴とするシンクライアントシステム。
【００８０】
（付記２）前記第１の蓄積部および前記第２の蓄積部は、それぞれ携帯端末から受信したユーザデータを該携帯端末の識別子と関連づけて蓄積し、
前記第１の仮想クライアント部および前記第２の仮想クライアント部は、それぞれ、前記識別子を参照することで各携帯端末に対応するユーザデータを識別することを特徴とする、付記１に記載のシンクライアントシステム。
【００８１】
（付記３）前記管理サーバは、前記位置情報を前記パケット転送装置から取得することを特徴とする、付記１または２に記載のシンクライアントシステム。
【００８２】
（付記４）前記第１の仮想クライアント部および前記第２の仮想クライアント部は、それぞれ、前記携帯端末からの指示情報をもとにアプリケーションを動作させて画面を生成し、生成した画面の全部または一部を圧縮エンコードし、エンコード結果を出力する画面エンコーダ部を備えていることを特徴とする、付記１ないし３のいずれか一に記載のシンクライアントシステム。
【００８３】
（付記５）前記第１の仮想クライアント部および前記第２の仮想クライアント部のいずれかと接続し、前記エンコード結果を受信するとともに、画面デコーダにより復号して画面を表示する携帯端末をさらに備えていることを特徴とする、付記４に記載のシンクライアントシステム。
【００８４】
（付記６）モバイルネットワーク上のパケット転送装置を介してそれぞれが携帯端末に接続される複数の仮想クライアント部を有するとともに、該複数の仮想クライアント部を介して該複数の仮想クライアント部のユーザデータを蓄積する蓄積部を有し、該携帯端末からの指示情報をもとにアプリケーションを動作させ画面を生成し前記画面の全部または一部を圧縮エンコードしてエンコード結果を出力する画面エンコーダ部を有する第１のシンクライアントサーバと、
前記第１のシンクライアントサーバに接続していた携帯端末が移動後に第Ｍ（Ｍは２以上）のシンクライアントサーバに接続した場合に該携帯端末の位置情報を前記パケット転送装置から取得し、該位置情報にもとづいて前記第１のシンクライアントサーバの蓄積部から該当する携帯端末のユーザデータを読み出して前記第Ｍのシンクライアントサーバの蓄積部に書き込む管理サーバと、
前記第１のシンクライアントサーバにおける仮想クライアント部または前記第Ｍのシンクライアントサーバにおける仮想クライアント部と接続して前記エンコード結果を受信し、画面デコーダにより復号した上で画面を表示する携帯端末と、を備えていることを特徴とするシンクライアントシステム。
【００８５】
（付記７）前記モバイルネットワークは、モバイルパケットネットワークまたはモバイルＬＴＥ／ＥＰＣネットワークであることを特徴とする、付記１ないし６のいずれか一に記載のシンクライアントシステム。
【００８６】
（付記８）パケット転送装置を介して携帯端末に接続される第１の仮想クライアント部を有するとともに、該第１の仮想クライアント部を介して携帯端末から受信したユーザデータを蓄積する第１の蓄積部を有する第１のシンクライアントサーバの該第１の仮想クライアント部から、パケット転送装置を介して携帯端末に接続される第２の仮想クライアント部を有するとともに、該第２の仮想クライアント部を介して携帯端末から受信したユーザデータを蓄積する第２の蓄積部を有する第２のシンクライアントサーバの仮想クライアント部へと、携帯端末の接続先が変更された場合に、該携帯端末の位置情報に基づいて、該第１の仮想クライアント部を介して該第１の蓄積部から該携帯端末のユーザデータを読み出すとともに、読み出したユーザデータを該第２の仮想クライアント部を介して該第２の蓄積部に書き込むことを特徴とする管理サーバ。
【００８７】
（付記９）前記位置情報を前記パケット転送装置から取得することを特徴とする、付記８に記載の管理サーバ。
【００８８】
（付記１０）パケット転送装置を介して携帯端末に接続される第１の仮想クライアント部を有するとともに、該第１の仮想クライアント部を介して携帯端末から受信したユーザデータを蓄積する第１の蓄積部を有する第１のシンクライアントサーバの該第１の仮想クライアント部から、パケット転送装置を介して携帯端末に接続される第２の仮想クライアント部を有するとともに、該第２の仮想クライアント部を介して携帯端末から受信したユーザデータを蓄積する第２の蓄積部を有する第２のシンクライアントサーバの該第２の仮想クライアント部へと、携帯端末の接続先が変更された場合に、コンピュータが、該携帯端末の位置情報に基づいて、該第１の仮想クライアント部を介して該第１の蓄積部から該携帯端末のユーザデータを読み出す工程と、
読み出したユーザデータを前記第２の仮想クライアント部を介して前記第２の蓄積部に書き込む工程と、含むことを特徴とする管理方法。
【００８９】
（付記１１）コンピュータが、前記位置情報を前記パケット転送装置から取得する工程をさらに含むことを特徴とする、付記１０に記載の管理方法。
【００９０】
（付記１２）パケット転送装置を介して携帯端末に接続される第１の仮想クライアント部を有するとともに、該第１の仮想クライアント部を介して携帯端末から受信したユーザデータを蓄積する第１の蓄積部を有する第１のシンクライアントサーバの該第１の仮想クライアント部から、パケット転送装置を介して携帯端末に接続される第２の仮想クライアント部を有するとともに、該第２の仮想クライアント部を介して携帯端末から受信したユーザデータを蓄積する第２の蓄積部を有する第２のシンクライアントサーバの該第２の仮想クライアント部へと、携帯端末の接続先が変更された場合に、該携帯端末の位置情報に基づいて、該第１の仮想クライアント部を介して該第１の蓄積部から該携帯端末のユーザデータを読み出す処理と、
読み出したユーザデータを前記第２の仮想クライアント部を介して前記第２の蓄積部に書き込む処理と、をコンピュータに実行させることを特徴とするプログラム。
【００９１】
（付記１３）前記位置情報を前記パケット転送装置から取得する処理をさらにコンピュータに実行させることを特徴とする、付記１２に記載のプログラム。
【符号の説明】
【００９２】
３０、２３０    管理サーバ
１０＿１〜１０＿Ｍ、１１０＿１〜１１０＿Ｍ    シンクライアントサーバ
５０    モバイルネットワーク
９０＿１〜９０＿Ｌ、９２＿１〜９２＿Ｌ    パケット転送装置
１５０    モバイルパケットネットワーク
１７０＿１、１７０＿Ｎ    携帯端末
１７３    制御信号送受信部
１７４    オーディオデコーダ部
１７５    オーディオエンコーダ部
１７６    パケット送信部
１８０    画面キャプチャ部
１８６    画面エンコーダ部
１９０＿１〜１９０＿Ｌ、１９２＿１〜１９２＿Ｌ    ｘＧＳＮ装置
１９３＿１、１９４＿１    基地局
１９５＿１〜１９５＿Ｐ、１９６＿１〜１９６＿Ｐ    ＲＮＣ装置
２１１＿１〜２１１＿Ｎ    仮想クライアント部
２２０    蓄積部
【図１】
2012005230.tif 000003
【図２】
2012005230.tif 000004
【図３】
2012005230.tif 000005
【図４】
2012005230.tif 000006
【図５】
2012005230.tif 000007
【国際調査報告】
2012005230.tif 000008
2012005230.tif 000009
2012005230.tif 000010
2012005230.tif 000011